(57)【要約】【課題】小型のものとして構成することが容易であり、使用上の利便性が高く、しかもアダプター等の付属品を使用することなしに、乾電池および充電池の両方を使用可能な新規な構成の可搬型ガス検知器の提供。【解決手段】ガス検知器は、手で握って保持可能な大きさとされた細長い形態を有し、先端にガス採取用開口が形成されたケーシングを備え、ケーシング内には、先端側にガス検知機構および表示機構が配設されていると共に、後端側に、２本の円柱状の乾電池、並びに当該乾電池と同一の外形を有する可充電電池の２本が保持枠部材により保持されて一体とされたパッケージ電源のいずれか一方が他方と交換可能に挿入されて装着される電池装填室が形成されており、電池装填室には、乾電池の横断断面の外形に適合する受容支持部が形成されており、パッケージ電源は、電池装填室の長手方向に直交する断面における空間部に適合する断面形状を有する。【選択図】  図７
2004335144.tif 000002
【特許請求の範囲】
【請求項１】
手で握って保持可能な大きさとされた細長い形態を有し、先端にガス採取用開口が形成されたケーシングを備えてなり、
ケーシング内には、先端側領域に、ガス検知機構および表示機構が配設されていると共に、後端側領域に、２本の円柱状の乾電池、並びに当該乾電池と同一の外形を有する可充電電池２本が平行に並んだ状態で保持枠部材により保持されて一体的に構成された可充電電池パッケージ電源のいずれか一方が他方と交換可能に挿入されて装着される電池装填室が形成されており、
電池装填室には、乾電池の横断断面の外形に適合する受容支持部が各々の乾電池をその外周の一部に接して支持するよう形成されており、
可充電電池パッケージ電源は、電池装填室の長手方向に直交する断面における内部空間部に適合する断面形状を有するものであることを特徴とする可搬型ガス検知器。
【請求項２】
可充電電池パッケージ電源を構成する保持枠部材は、長手方向に直交する断面において、２本の可充電電池が内接する矩形枠状の外接縁と、可充電電池の外周縁とにより形成される空間部に位置されるフレーム部分を有してなり、電池装填室内において当該フレーム部分が受容支持部に沿って位置されることを特徴とする請求項１に記載の可搬型ガス検知器。
【請求項３】
ケーシングの裏面には充電用端子が配設されており、
電池装填室内において、乾電池用接点および可充電電池パッケージ電源用接点が別個に形成されていることを特徴とする請求項１または請求項２に記載の可搬型ガス検知器。
【請求項４】
可充電電池パッケージ電源を構成する保持枠部材は、長手方向における一方の端部に、各々、一端が一方の可充電電池の正極側接点および他方の可充電電池の負極側接点に接続された２つの接続端子用接片が配置された接片配置用端子台が、可充電電池の外周面位置より当該可充電電池の径方向外方に突出した状態で長手方向に伸びるよう形成されてなるものであることを特徴とする請求項３に記載の可搬型ガス検知器。
【請求項５】
ケーシング内には、乾電池による第１の給電用回路および可充電電池パッケージ電源による第２の給電用回路が形成された回路基板が配設されており、
電池装填室には、後端開口の開口縁より長手方向内方に伸びる、可充電電池パッケージ電源における接片配置用端子台が収容される案内溝が形成されており、この案内溝により、回路基板における第２の給電用回路に接続された可充電電池パッケージ電源接続用接片が電池装填室の内部空間に露出されていることを特徴とする請求項４に記載の可搬型ガス検知器。
【請求項６】
ケーシングの後端開口には、電池装填室カバーが取り外し自在に設けられており、この電池室カバーの内面には、各々の乾電池に対応する一方の乾電池接続用接片が配設されていることを特徴とする請求項１乃至請求項５のいずれかに記載の可搬型ガス検知器。
【請求項７】
乾電池接続用接片がスプリング状のバネ材よりなることを特徴とする請求項６に記載の可搬型ガス検知器。
【請求項８】
検知された検知対象ガスの濃度が一定の基準値を超えたときに、警報が発せられる警報報知機構を備えてなることを特徴とする請求項１乃至請求項７のいずれかに記載の可搬型ガス検知器。
【発明の詳細な説明】
【０００１】
【発明の属する技術分野】
本発明は、可搬型ガス検知器に関する。
【０００２】
【従来の技術】
一般に、例えば地下の工事現場や坑道、その他の人が立ち入る場所や作業領域などにおいて、その環境の空気中に一酸化炭素ガスや硫化水素ガスなどの危険性ガスが含有されるおそれがある場合や、空気中の酸素ガス濃度が低下しているおそれがある場合など、環境雰囲気の空気が危険な状態となっている可能性あるいは危険な状態となる可能性がある場合が少なくない。
そして、環境雰囲気の空気において、含有される危険性ガスの濃度が高いことにより、または酸素ガス濃度が低いことにより、人に対して危険な状態となったときには、そのことを直ちに知ることが必要である。
【０００３】
このような要請から、現在までに種々のタイプの可搬型ガス検知器が提案されており、これらの可搬型ガス検知器においては、通常、例えば乾電池などの一次電池または二次電池（充電池）が駆動用電源として使用されている。
例えば、ガス検知器本体内に乾電池（一次電池）が装着される電池装填室が形成され、この電池装填室の後端開口部に電池装填室カバー部材が取り外し自在に取り付けられ、これにより、乾電池が交換可能とされた構成のもの（例えば特許文献１等参照。）が知られている。
【０００４】
而して、近年においては、環境保全に対する意識が高まっていることから、乾電池の使用をできるだけ低減することが望まれており、例えば二次電池が駆動用電源として内蔵され、充電動作を行うことによって繰り返し使用することが可能とされたものが提案されている。このような可搬型ガス検知器においては、乾電池を使用する場合には、ガス検知器に付属するアダプターなどの付属品が必要とされる構成とされているものが多い。
【０００５】
一般に、可搬型ガス検知器が引火による危険性のある環境で使用されるものである場合には、通常、例えば駆動用電源とセンサや信号処理回路の間に抵抗やポジスタ等の電流制限素子を挿入するなどしてセンサや信号処理回路等での短絡によっても可燃性ガスへの引火を可及的に防止した状態において電力を供給する、いわゆる本質安全防爆の対策が採られており、所定のガス検知を行うに際して多くの電力が必要とされるため、二次電池の電力量が低下したときに一次電池を使用すること、あるいは二次電池と一次電池とを併用して使用することなどが求められる場合も少なくない。
【０００６】
しかしながら、上記のような二次電池が駆動用電源として内蔵されたものにおいては、アダプター等の付属品を常時携行していなければ乾電池を使用することができないばかりか、付属品を装着することによってガス検知器それ自体がかさばったものとなり、利便性を低下させることにもなる。
【０００７】
【特許文献１】
特開平０７−１４６２６９号公報
【０００８】
【発明が解決しようとする課題】
本発明は、以上のような事情に基づいてなされたものであって、その目的は、携帯に便利な小型のものとして構成することが容易であり、使用上の利便性が高く、しかもアダプター等の付属品を使用することなしに、乾電池および充電池の両方を使用することができる新規な構成の可搬型ガス検知器を提供することにある。
【０００９】
【課題を解決するための手段】
本発明の可搬型ガス検知器は、手で握って保持可能な大きさとされた細長い形態を有し、先端にガス採取用開口が形成されたケーシングを備えてなり、
ケーシング内には、先端側領域に、ガス検知機構および表示機構が配設されていると共に、後端側領域に、２本の円柱状の乾電池、並びに当該乾電池と同一の外形を有する可充電電池２本が平行に並んだ状態で保持枠部材により保持されて一体的に構成された可充電電池パッケージ電源のいずれか一方が他方と交換可能に挿入されて装着される電池装填室が形成されており、
電池装填室には、乾電池の横断断面の外形に適合する受容支持部が各々の乾電池をその外周の一部に接して支持するよう形成されており、
可充電電池パッケージ電源は、電池装填室の長手方向に直交する断面における内部空間部に適合する断面形状を有するものであることを特徴とする。
【００１０】
本発明の可搬型ガス検知器においては、可充電電池パッケージ電源を構成する保持枠部材は、長手方向に直交する断面において、２本の可充電電池が内接する矩形枠状の外接縁と、可充電電池の外周縁とにより形成される空間部に位置されるフレーム部分を有してなり、電池装填室内において当該フレーム部分が受容支持部に沿って位置される構成とされていることが好ましい。
【００１１】
また、本発明の可搬型ガス検知器においては、ケーシングの裏面には充電用端子が配設されており、
電池装填室内において、乾電池用接点および可充電電池パッケージ電源用接点が別個に形成された構成とされていることが好ましい。
【００１２】
このような構成とされた場合には、可充電電池パッケージ電源を構成する保持枠部材は、長手方向における一方の端部に、各々、一端が一方の可充電電池の正極側接点および他方の可充電電池の負極側接点に接続された２つの接続端子用接片が配置された接片配置用端子台が、可充電電池の外周面位置より当該可充電電池の径方向外方に突出した状態で長手方向に伸びるよう形成された構成のものとすることができる。
この場合には、ケーシング内には、乾電池による第１の給電用回路および可充電電池パッケージ電源による第２の給電用回路が形成された回路基板が配設されており、
電池装填室には、後端開口の開口縁より長手方向内方に伸びる、可充電電池パッケージ電源における接片配置用端子台が収容される案内溝が形成されており、この案内溝により、回路基板における第２の給電用回路に接続された可充電電池パッケージ電源接続用接片が電池装填室の内部空間に露出された構成とされる。
【００１３】
また、本発明の可搬型ガス検知器においては、ケーシングの後端開口には、電池装填室カバーが取り外し自在に設けられており、この電池室カバーの内面には、各々の乾電池に対応する一方の乾電池接続用接片が配設された構成とされていることが好ましい。
また、乾電池接続用接片がスプリング状のバネ材よりなることが好ましい。
【００１４】
以上の本発明の可搬型ガス検知器においては、検知された検知対象ガスの濃度が一定の基準値を超えたときに、警報が発せられる警報報知機構を備えてなる構成とされていることが好ましい。
【００１５】
【作用】
上記構成の可搬型ガス検知器によれば、基本的には、ケーシングが手に持って保持することができる形態を有するものであり、必要とされる構成部材のすべてが、ケーシング内のデッドスペースが可及的に小さくなる状態で合理的に配置されているので、必要な機能を確保しながら、当該ガス検知器それ自体を小型で、軽量なものとすることができ、従って、優れた携帯性および高い利便性が得られる。
しかも、乾電池の横断断面の外形に適合する受容支持部が電池装填室に形成されており、可充電電池パッケージ電源が電池装填室の長手方向に直交する断面における空間部の形状に適合する断面形状を有するものであることにより、乾電池または可充電電池パッケージ電源が適正な位置に装着されて対応する接点との十分な電気的接続が達成されるので、アダプター等の付属品を使用することなしに乾電池および可充電電池の両方を使用することができる。
【００１６】
また、パッケージ電源接続用接片を含む充電用回路に接続された充電用端子がケーシングの裏面に配設されており、電池装填室内において、乾電池接続用接点および可充電電池接続用接点が別個に形成されていることにより、可充電電池パッケージ電源を電池装填室に装着したままの状態で充電動作を行うことができ、しかも、乾電池が電池装填室に装着されている場合には、乾電池は可充電電池パッケージ電源用接点と非接続状態とされるので、ガス検知器が乾電池が装着されたままの状態で誤って適宜の充電装置に装着された場合であっても、乾電池に対して充電が行われることがなく、従って、ガス検知器を高い安全性を有するものとして構成することができる。
【００１７】
【発明の実施の形態】
以下、本発明について図面を参照しながら詳細に説明する。
本発明の可搬型ガス検知器は、手で握って保持可能な大きさとされた細長い形態を有し、例えば単４型の乾電池（ＡＡＡサイズ（ＡＮＳＩ規格））の２本、並びに当該乾電池と同一の外形を有する可充電電池（蓄電池）の２本が平行に並んだ状態で保持枠部材によって保持されて一体に構成されてなる可充電電池パッケージ電源  （以下、単に「パッケージ電源」という。）のいずれか一方が、他方と交換可能に共通の電池装填室内に挿入されて装着されて、使用されるものである。
以下においては、まず、本発明の可搬型ガス検知器において用いられるパッケージ電源について説明する。
【００１８】
図１は、パッケージ電源の一例における構成を示す分解斜視図、図２は、図１に示すパッケージ電源の平面図であり、図３は、（イ）が図２におけるＡ−Ａ断面の縦断断面図、（ロ）が図２におけるＢ−Ｂ断面の縦断断面図をそれぞれ示し、図４は、（イ）がパッケージ電源の背面図、（ロ）がパッケージ電源の正面図、（ハ）が図２におけるＣ−Ｃ断面の横断断面図をそれぞれ示す。
【００１９】
パッケージ電源１０は、上述したように、２本の可充電電池１３、１４が平行に並んだ状態で保持枠部材１２によって保持されて一体に構成されている。
パッケージ電源１０を構成する保持枠部材１２は、例えば樹脂よりなり、長手方向に直交する断面において、２本の可充電電池１３、１４が内接する外接縁と、当該可充電電池１３、１４の外周縁とにより形成される空間部に位置されるフレーム部分１１、１１、１１、１１、１１を有し（図４（ハ）参照）、電池装填室の長手方向に直交する断面における空間部の形状に適合する断面形状を有するものとされている。
２本の可充電電池１３、１４は、互いに正極側接点１３Ａ、１４Ａおよび負極側接点１３Ｂ、１４Ｂが逆さにされた状態で、保持枠部材１２におけるフレーム部分１１、１１、１１、１１、１１の各々によって支持され、可充電電池１３、１４の長手方向における保持枠部材１２の一端側の内端面に配設された接続用接片１７により直列に接続されている。
この例における保持枠部材１２は、表面側枠部材１２Ａおよび裏面側枠部材１２Ｂが一体に接合されてなり、各々の可充電電池１３、１４をその外周の一部を露出した状態で保持する。
【００２０】
パッケージ電源１０の他端側における可充電電池１３、１４の各々の外周面位置には、可充電電池１３、１４の外周面位置より径方向外方に突出し、長手方向に延びる接片配置用端子台１５、１５が形成されており、各々の接片配置用端子台１５、１５には、接続端子用接片１６、１６がそれぞれ一方の可充電電池１３の正極側接点１３Ａまたは他方の可充電電池１４の負極側接点１４Ｂに接続された状態で配設されている。
【００２１】
以下、可搬型ガス検知器について説明する。
図５は、本発明の可搬型ガス検知器の一例における外観を示す平面図、図６は、図５におけるＤ−Ｄ断面の縦断断面図、図７は、乾電池が電池装填室に装着された場合の、図５におけるＥ−Ｅ断面の縦断断面図、図８は、可充電電池パッケージ電源が電池装填室に装着された場合の、図５におけるＥ−Ｅ断面の縦断断面図である。
この可搬型ガス検知器（以下、単に「ガス検知器」という。）２０は、上述したように、手で握って保持可能な大きさとされた全体が直方体のケーシング２１を備えており、このケーシング２１には、先端にガス採取用開口２１Ａが形成されていると共に後端に乾電池３０、３０またはパッケージ電源１０が挿入される後端開口２１Ｂが形成されている。
【００２２】
ケーシング２１内には、平板状の回路基板２２が当該ケーシング２１の長手方向に延びる状態で配設されている。
ケーシング２１内において、回路基板２２の表面側における先端側領域に、ガス採取用開口２１Ａに対向して設けられたガスセンサ２３Ａを含むガス検知機構２３、検出された検知対象ガスの濃度を表示する表示機構２４、検出されたガス濃度が一定の大きさの基準値を超えたときに警報が発せられる警報報知機構が配設されていると共に、後端側領域に、２本の乾電池３０、３０、並びにパッケージ電源１０のいずれか一方が他方と交換可能に挿入されて装填される電池装填室２５が形成されている。
【００２３】
図５乃至図８において、３５Ａは第１の操作用ボタン、３５Ｂは機能調整用の第２の操作用ボタン、２４Ａはガス検知機構により検知されたガス濃度値およびその他の情報が表示される表示部、２１Ｄはケーシング２１の全周にわたって設けられた金属帯であり、この金属帯２１Ｄにより連続した樹脂部分の表面積が一定の大きさ以下に規制されて可燃性ガスを発火させる程度の電荷量の静電気が生じることが防止された構成とされている。
３１は、回路基板２２に沿って長手方向に延びるよう設けられた必要な種々の機能素子が実装された平板状の制御用回路基板であって、この制御用回路基板３１により、ガス検知機構２３、表示機構２４、警報報知機構およびその他の動作機構の動作が制御される。３２および３３は、制御用回路基板３１の裏面に配設された警報報知機構を構成する警報用ブザーおよび警報用振動発生器であり、それぞれ、ブザー音および振動により、警報を発するものである。
また、３４は、ケーシング２１におけるガス採取用開口２１Ａを塞ぐよう設けられたフィルター３４Ａを備えたフィルターユニットである。
【００２４】
電池装填室２５内には、図９および図１０にも示されているように、乾電池３０、３０の外形に適合する受容支持部２６がケーシング２１の長手方向に延びるよう形成されており、この受容支持部２６は、２本の乾電池３０、３０をその外周の一部、具体的には、各々の乾電池３０、３０の外周における上面、下面および両側面に接して支持する電池支持面２７を有する。
【００２５】
電池装填室２５を区画する先端側の区画壁２５Ａには、受容支持部により形成される各々の乾電池保持用空間に対応した位置において、接続用接片４０Ａを介して回路基板２２に接続された、例えばスプリング状のバネ材よりなる一方の乾電池用接片４０、４０が電池装填室２５の内部空間に露出した状態で配設されている。
【００２６】
ケーシング２１の後端開口２１Ｂには、電池装填室カバー３６が例えば取り付けネジ３６Ａにより取り外し自在に設けられており、この電池装填室カバー３６の内面には、一方の乾電池接続用接片４０、４０の各々に対向した位置に、例えばスプリング状のバネ材よりなる他方の乾電池接続用接片４１、４１が互いに接続された状態で設けられている。
そして、他方の乾電池接続用接点４１、４１の先端部分には、例えば樹脂よりなるガイド板４２が当該他方の乾電池接続用接片４１、４１の各々を先端が表面に露出した状態で連結するよう設けられている。
【００２７】
一方の乾電池接続用接片４０、４０および他方の乾電池接続用接片４１、４１を構成するスプリング状のバネ材は、パッケージ電源１０の乾電池３０に対する長手方向の過大寸法分の大きさを変位により吸収可能な構成を有するものであれば、特に限定されるものではない。
【００２８】
回路基板２２の裏面には、図１１および図１２に示されているように、パッケージ電源１０の正極側接点および負極側接点に対応する位置に、パッケージ電源接続用正極側接片４５Ａ、４５Ｂおよびパッケージ電源接続用負極側接片４６が実装されていると共に、充電用端子接続用正極側接片５１Ａおよび充電用端子接続用負極側接片５１Ｂが、それぞれ、パッケージ電源接続用正極側接片４５Ａ、４５Ｂおよびパッケージ電源接続用負極側接片４６と長手方向に並んだ位置において実装されており、これにより、パッケージ電源１０による給電用回路６０およびパッケージ電源１０に対する充電用回路６１が形成されている。
そして、パッケージ電源１０による給電用回路６０における、回路基板２２の先端側に配設される制御用回路基板３１等の種々の機能素子に対する給電回路部分は、図示しない乾電池３０、３０による給電用回路と共通のものとされている。
【００２９】
電池装填室２５を区画する回路基板配設側の区画壁２５Ｂ（図７および図８における下側区画壁）には、後端開口２１Ｂの開口縁よりケーシング２１の長手方向に延びる、パッケージ電源１０の接片配置用端子台１５、１５が収容される案内溝２５Ｃ、２５Ｃが、回路基板２２におけるパッケージ電源接続用正極側接片４５Ａ、４５Ｂおよびパッケージ電源接続用負極側接片４６を電池装填室２５の内部空間に露出させる状態で、形成されており、これにより、乾電池用接点およびパッケージ電源用接点が別個に形成された状態とされている。
【００３０】
ケーシング２１の裏面における、パッケージ電源１０が電池装填室２５に装着された場合において接続接片配置用端子台１５、１５と回路基板２２を介して対向する位置には、充電用端子５０が配設されており、この充電用端子５０には、図１３に示されているように、回路基板２２における充電用端子接続用正極側接片５１Ａおよび充電用端子接続用負極側接片５１Ｂの各々が接続されている。
【００３１】
上記構成のガス検知器２０は、上述したように、例えば２本の単４型の乾電池３０、３０が互いに正極側接点および負極側接点が逆さにされて電池装填室２５に挿入され、受容支持部２６における電池支持面２７により支持された状態において、電池装填室カバー３６が設けられ、これにより、２本の乾電池３０、３０が、それぞれ、一方の乾電池用接続接片４０および他方の乾電池用接続接片４１によって直列に接続された状態で装着される。
この場合には、各々の乾電池３０、３０は、いずれも、電池装填室２５の内部空間に露出するパッケージ電源用接点とは非接続状態とされる。これにより、乾電池３０、３０が装着されているときに、ガス検知器２０が誤って適宜の充電装置に装着された場合であっても、乾電池３０、３０に対して充電が行われることがなく、不測の事態を招くことがない。
【００３２】
また、上記構成のガス検知器２０は、上述したように、パッケージ電源１０全体を乾電池３０、３０と共通の電池装填室２５内に挿入して装着して、使用することができる。
具体的には、パッケージ電源１０がその接片配置用端子台１５が挿入方向に対して後方に位置される姿勢で挿入されて、接片配置用端子台１５、１５の各々が電池装填室２５における対応する案内溝２５Ｃ、２５Ｃに収容されると共に可充電電池１３、１４の露出した外周面部分が受容案内部２６における電池支持面２７により支持された状態において、電池装填室カバー３６が取り付けられ、これにより、パッケージ電源１０の正極側接点および負極側接点が回路基板２５におけるパッケージ電源接続用正極側接片４５Ａ、４５Ｂおよびパッケージ電源接続用負極側接片４６に接続された状態で装着される。
この場合には、パッケージ電源１０における各々の可充電電池１３、１４それ自体の接点は、電気絶縁性を有する保持枠部材１２により覆われた状態とされているので、乾電池用接点と非接続状態とされる。
【００３３】
以上において、ガス検知機構２３を構成するガスセンサ２３Ａとしては、例えば接触燃焼式ガスセンサを例示することができ、また、検知対象ガスの種類は特に限定されるものではなく、ＬＰＧ、都市ガス、メタンガス、水素ガス、エチレンガス、アセチレンガス、ガソリンおよびその他の可燃性ガスを例示することができる。
【００３４】
上記のガス検知器２０の動作について説明する。
乾電池３０、３０またはパッケージ電源１０が電池装填室２５に装填された状態で第１の操作ボタン３５Ａを操作してガス検知器２０を動作状態とすると、ガス検知機構２３および表示機構２４が動作状態となる。この状態で環境雰囲気の空気が拡散してガスセンサ２３Ａに到達し、目的とするガスについてその濃度検知が行われ、その結果が表示機構２４によって表示部２４Ａに表示される。
【００３５】
ガスセンサ２３Ａにより検知された検知対象ガスの濃度は、電流信号または電圧信号として制御用回路基板３１に送られて処理され、これにより、検知対象ガスの濃度が当該ガスについて設定された基準値を超えたときには警報動作信号が発せられ、これにより、警報報知機構が駆動されて警報が発せられる。図示の例においては、警報用ブザー３２によるブザー音および警報用振動発生器３３による振動によって、警報が発せられる。
このように、複数の種類の警報報知機構が設けられている場合に、それらの全部が一斉に駆動されることは必要ではなく、各警報報知機構が順次に所定時間だけ駆動されるサイクル的警報動作が行われることが好ましく、そのような駆動制御によれば、一斉に駆動される場合に比して、駆動用電源（乾電池または充電池）の消耗を抑制することができる。
【００３６】
そして、上記のガス検知器２０は、例えば適宜の装着用部材によって装着されることにより、その者によってその身体と共に搬送され、従って、その者の環境雰囲気が例えば危険性ガスの濃度が高いことにより危険な状態となったときには、その旨が、表示部２４Ａの表示、並びに、警報用ブザー３２の鳴動および警報用振動発生器３３の動作によって報知される。従って、その人は、直ちに通報あるいは適宜の防護手段を講ずることができ、あるいはその場から退避するなどの対策を講ずることができる。
【００３７】
而して、本発明の可搬式ガス検知器２０によれば、基本的には、ケーシング２１が手に持って保持することができる形態を有するものであり、必要とされる構成部材のすべてが、ケーシング２１内のデッドスペースが可及的に小さくなる状態で合理的に配置されているので、必要な機能を確保しながら、当該ガス検知器２０それ自体を小型で、軽量なものとすることができ、従って、優れた携帯性および高い利便性が得られる。
しかも、乾電池３０、３０の横断断面の外形に適合する受容支持部２６が電池装填室２５に形成されており、パッケージ電源１０が電池装填室２５の長手方向に直交する断面における空間部の形状に適合する断面形状を有することにより、乾電池３０、３０またはパッケージ電源１０が適正な位置に装着されて対応する接点との十分な電気的接続が達成されるので、アダプター等の付属品を使用することなしに乾電池および充電池の両方を使用することができる。
【００３８】
パッケージ電源１０が駆動用電源として用いられる場合には、パッケージ電源１０がその正極側接点および負極側接点が外面上に突出して形成された接片配置用端子台１５、１５に接続端子用接片１６、１６が配置されて構成されており、この接片配置用端子台１５、１５が電池装填室２５における案内溝２５Ｃに収容されて給電構造が形成される構成とされていることにより、パッケージ電源１０が誤った姿勢で電池装填室２５に挿入された場合であっても、当該案内溝２５Ｃによってパッケージ電源１０のそれ以上の挿入が禁止されるので、パッケージ電源１０が逆向きに装着されることを防止することができる。
【００３９】
また、充電用端子５０がケーシング２１の裏面に配設されていると共に、電池装填室２５内において、乾電池用接点およびパッケージ電源用接点が別個に形成されていることにより、パッケージ電源１０を電池装填室２５に装着したままの状態で充電動作を行うことができ、しかも、乾電池３０、３０が電池装填室２５に装着された場合には、乾電池３０、３０はパッケージ電源用接点と非接続状態とされるので、ガス検知器２０が乾電池３０、３０が装着されたままの状態で誤って適宜の充電装置に装着された場合であっても、乾電池３０、３０に対して充電が行われることがなく、従って、ガス検知器２０を高い安全性を有するものとして構成することができる。
また、パッケージ電源１０は、２本の可充電電池が保持枠部材により保持されて一体的に構成されており、正極側接点および負極側接点が外面上に突出して形成されていることにより、パッケージ電源１０それ自体を適宜の充電装置に装着することによって単独で充電動作を行うことができる。
【００４０】
電池室カバー３６が取り付けネジ３６Ａにより取り外し自在に設けられていることにより、乾電池３０、３０およびパッケージ電源の交換を極めて容易に行うことができる。
【００４１】
また、一方の乾電池接続用接片４０および他方の乾電池接続用接片４１がスプリング状のバネ材により構成されていることによりパッケージ電源１０の乾電池３０に対する長手方向の過大寸法分の大きさが変位により吸収されて、乾電池３０およびパッケージ電源１０のいずれであっても、電池装填室２５における適正な位置に装着されて十分な電気的接続を達成することができる。
【００４２】
以上、本発明の実施形態について説明したが、本発明は上記の態様に限定されるものではなく、種々の変更を加えることができる。
例えば、ガス検知器のケーシング内においては、先端側領域にガス検知機構および表示機構が配置され、後端側領域に電池装填室が形成されればよく、他の部材の配置については自由である。また、駆動用電源として用いられる乾電池は単４型のものに制限されない。
更に、ガス検知器は手に持った状態で使用しても、適宜の装着用部材を用いて人の身体に直接的に装着してあるいは人の着衣に装着して使用してもよく、装着用部材としては、例えばクリップ、ピンなどを挙げることができる。装着用部材は、その形態によっては、ケーシングと一体に形成することができる場合がある。また、装着用部材は、簡単に交換可能な構成とすることができる。
【００４３】
【発明の効果】
本発明の可搬型ガス検知器によれば、基本的には、ケーシングが手に持って保持することができる形態を有するものであり、必要とされる構成部材のすべてが、ケーシング内のデッドスペースが可及的に小さくなる状態で合理的に配置されているので、必要な機能を確保しながら、当該ガス検知器それ自体を小型で、軽量なものとすることができ、従って、優れた携帯性および高い利便性が得られる。
しかも、乾電池の横断断面の外形に適合する受容支持部が電池装填室に形成されており、可充電電池パッケージ電源が電池装填室の長手方向に直交する断面における空間部の形状に適合する断面形状を有するものであることにより、乾電池または可充電電池パッケージ電源が適正な位置に装着されて対応する接点との十分な電気的接続が達成されるので、アダプター等の付属品を使用することなしに乾電池および可充電電池の両方を使用することができる。
【００４４】
可充電電池パッケージ電源が駆動用電源として用いられる場合には、当該可充電電池パッケージ電源がその正極側接点および負極側接点が外面上に突出して形成された接片配置用端子台上に接続用端子接片が配置されて構成されており、この接片配置用端子台が電池装填室における案内溝内に収容されて給電構造が形成される構成とされていることにより、可充電電池パッケージ電源が誤った姿勢で電池装填室に挿入された場合であっても、当該案内溝によって可充電電池パッケージ電源のそれ以上の挿入が禁止されるので、可充電電池パッケージ電源が逆向きに装着されることを防止することができる。
【００４５】
また、充電用端子がケーシングの裏面に配設されていると共に、電池装填室内において、乾電池接続用接点および可充電電池接続用接点が別個に形成されていることにより、可充電電池パッケージ電源を電池装填室に装着したままの状態で充電動作を行うことができ、しかも、乾電池が電池装填室に装着されている場合には、乾電池は可充電電池パッケージ電源用接点と非接続状態とされるので、ガス検知器が乾電池が装着されたままの状態で誤って適宜の充電装置に装着された場合であっても、乾電池に対して充電が行われることがなく、従って、ガス検知器を高い安全性を有するものとして構成することができる。
【００４６】
また、可充電電池パッケージ電源が、２本の可充電電池が保持枠部材により保持されて一体的に構成されており、正極側接点および負極側接点が外面上に突出して形成されていることにより、可充電電池パッケージ電源それ自体を適宜の充電装置に装着することによって単独で充電動作を行うことができる。
【００４７】
電池室カバーが取り外し自在に設けられていることにより、乾電池および可充電電池パッケージ電源の交換を極めて容易に行うことができる。
【００４８】
また、乾電池接続用接片がスプリング状のバネ材により構成されていることにより、可充電電池パッケージ電源の乾電池に対する長手方向の過大寸法分の大きさが変位により吸収され、乾電池およびパッケージ電源のいずれであっても、電池装填室における適正な位置に装着することができ、十分な電気的接続を達成することができる。
【図面の簡単な説明】
【図１】可充電電池パッケージ電源の分解斜視図である。
【図２】可充電電池パッケージ電源の平面図である。
【図３】（イ）図２におけるＡ−Ａ断面を示す縦断断面図、（ロ）図２におけるＢ−Ｂ断面を示す縦断断面図である。
【図４】（イ）図２に示す可充電電池パッケージ電源の背面図、（ロ）図２に示す可充電電池パッケージ電源の正面図、（ハ）図２に示す可充電電池パッケージ電源のＣ−Ｃ断面における横断断面図である。
【図５】本発明の可搬型ガス検知器の一例における外観を示す平面図である。
【図６】図５におけるＤ−Ｄ断面の縦断断面図である。
【図７】乾電池が電池装填室に装着された場合の、図５におけるＥ−Ｅ断面の縦断断面図である。
【図８】可充電電池パッケージ電源が電池装填室に装着された場合の、図５におけるＥ−Ｅ断面の縦断断面図である。
【図９】乾電池が装着された場合における電池装填室の背面図である。
【図１０】可充電電池パッケージ電源が装着された場合における電池装填室の背面図である。
【図１１】回路基板の裏面を示す平面図である。
【図１２】図１１におけるＸ−Ｘ断面の縦断断面図である。
【図１３】充電端子と回路基板上の充電用端子接片との接続状態を拡大して示す断面図である。
【符号の説明】
１０  可充電電池パッケージ電源
１１  フレーム部分
１２  保持枠部材
１２Ａ  表面側枠部材
１２Ｂ  裏面側枠部材
１３、１４  可充電電池
１３Ａ、１４Ａ  正極側接点
１３Ｂ、１４Ｂ  負極側接点
１５  接片配置用端子台
１６  接続端子用接片
１７  接続用接片
２０  可搬型ガス検知器
２１  ケーシング
２１Ａ  ガス採取用開口
２１Ｂ  後端開口
２１Ｄ  金属帯
２２  回路基板
２３  ガス検知機構
２３Ａ  ガスセンサ
２４  表示機構
２４Ａ  ガス表示部
２５  電池装填室
２５Ａ  区画壁
２５Ｂ  区画壁
２５Ｃ  案内溝
２６  受容支持部
２７  電池支持面
３０  乾電池
３１  制御用回路基板
３２  警報用ブザー
３３  警報用振動発生器
３４  フィルターユニット
３４Ａ  フィルター
３５Ａ  第１の操作用ボタン
３５Ｂ  機能調整用の第２の操作用ボタン
３６  電池装填室カバー
３６Ａ  取り付けネジ
４０  一方の乾電池接続用接片
４０Ａ  接続用接片
４１  他方の乾電池接続用接片
４２  ガイド板
４５Ａ  パッケージ電源用正極側接片
４５Ｂ  パッケージ電源用正極側接片
４６  パッケージ電源用負極側接片
５０  充電用端子
５１Ａ  充電用端子接続用正極側接片
５１Ｂ  充電用端子接続用負極側接片
６０  給電用回路
６１  充電用回路
【図１】
2004335144.tif 000003
【図２】
2004335144.tif 000004
【図３】
2004335144.tif 000005
【図４】
2004335144.tif 000006
【図５】
2004335144.tif 000007
【図６】
2004335144.tif 000008
【図７】
2004335144.tif 000009
【図８】
2004335144.tif 000010
【図９】
2004335144.tif 000011
【図１０】
2004335144.tif 000012
【図１１】
2004335144.tif 000013
【図１２】
2004335144.tif 000014
【図１３】
2004335144.tif 000015